(57)【特許請求の範囲】
【請求項１】
煙草のパック(１０)のグループと紙製の外側包装材(１１)とを備えるパッケージであって、前記外側包装材(１１)は、長い壁、すなわち、前部壁(１５)、後部壁(１６)および側部壁(１７，１８)および折り曲げフラップによって形成される端部壁(１９，２０)を形成しており、下記の(ａ)〜(ｄ)を特徴とするパッケージ。
(ａ)幅の狭い細長い側部壁(１７)は、穿孔列(２７)を有する
(ｂ)前記穿孔列(２７)は、側部壁(１７)の長手方向区域に延出する
(ｃ)前記穿孔列(２７)は、外側包装材(１１)の側部壁(１７)よりも僅かに短い
(ｄ)前記穿孔列(２７)は、切り離し面(１４)の区域において、パックの２つの列(１２，１３)の間、すなわち、側部壁(１７)の長手方向の中心に延出する
【請求項２】
請求項１記載のパッケージの外側包装材(１１)用の紙製のブランクの製造方法であって、前記ブランクは、側部壁(１７)の区域において、ブランクの長手方向に延出する穿孔列(２７)を備えており、下記の(ａ)〜(ｄ)を特徴とする方法。
(ａ)外側包装材(１１)用のブランクは、包装材の連続材料ウエブ(２９)から連続して切り離される
(ｂ)ブランクが材料ウエブから切り離される前に、前記材料ウエブの区域において、横断方向の穿孔列(２７)が、材料ウエブ(２７)に正しい位置において付与され、穿孔列(２７)は、材料ウエブの長手方向において、１ブランクのサイズに対応する距離だけ互いに離間される
(ｃ)長手方向に移送される材料ウエブ(２９)は、穿孔列が付与されるときは、停止される
(ｄ)材料ウエブ(２９)から外側包装材(１１)用のブランクを切り離すための切断は、穿孔列(２７)が外側包装材(１１)の側部壁(１７)の区域に延出するような位置で行われる
【請求項３】
請求項１のパッケージの外側包装材(１１)用の紙製ブランクの製造装置であって、前記ブランクは、側部壁(１７)の区域においてブランクの長手方向に延出する穿孔列(２７)を有し、下記の(ａ)〜(ｅ)を特徴とする装置。
(ａ)紙製であって外側包装材(１１)用のブランクを製造するための材料ウエブ(２９)は、穿孔ユニット(３０)に周期的に供給されることができる
(ｂ)穿孔ユニット(３０)の区域には、穿孔列(２７)を付与するために、材料ウエブを横断する方向に移動することができる穿孔ディスク(３７)が配置される
(ｃ)穿孔ディスク(３７)は、材料ウエブ(２９)が一時停止している間に、そして、材料ウエブ(２９)が支持面と向き合って接しているときに移動することができる
(ｄ)穿孔ディスク(３７)は、材料ウエブ(２９)の幅の一部の区域に沿って前記ウエブと係合して穿孔列(２７)を付与する
(ｅ)穿孔ディスク(３７)は、それが移動するとき、材料ウエブ(２９)を横断して回転するように駆動される
【請求項４】
穿孔ディスク(３７)が材料ウエブ(２９)を横断して移動するとき、穿孔ディスク(３７)は、穿孔ディスク(３７)と接続される歯車(３９)と固定ラック(４０)との噛み合いによって駆動回転され、
穿孔ディスク(３７)と歯車(３９)は、軸によって互いに接続されており、材料ウエブ(２９)を横断するユニットとして移動されることができる点を特徴とする請求項３記載の装置。
【請求項５】
穿孔ディスク(３７)は、その外周部の一部の区域のみに沿って、形成しようとする穿孔列(２７)の長さに対応する穿孔ブレード(４８)を備える点、および、穿孔ディスク(３７)は、穿孔ブレード(４８)の区域外において径が減少する点を特徴とする請求項３または４記載の装置。
【発明の詳細な説明】
【０００１】
【発明の属する技術分野】
この発明は、物品のグループのためのパッケージ、特に、煙草パケットのグループのための、紙、箔または薄いカードボード製の外側包装材を備える立体状の包装容器に関する。この発明はさらに、この種のパッケージ用のブランクを調製するための装置、すなわち、パッケージの外側包装材用のブランクに脆弱化線、特に穿孔列を形成する装置にも関する。
【０００２】
【従来の技術】
この発明の最も重要な対象分野は、煙草用の包装容器 -いわゆる煙草カートンである。複数個の煙草パケットからなる大きなパッケージが存在する。前記複数個のパケットは通常列をなして配列される。もっとも広く使用される煙草用の包装容器のタイプは、２列に細分化された１０個の煙草パケットからなる。１つの列の煙草パケットは、その前部または後部が、隣接列の煙草と向き合って接している。包装内容物、すなわち、このようにして一緒にグループにされるか、これとは違った配列でグループにされた包装内容物は、煙草用の包装容器の場合には専ら紙または薄いカードボードである折り曲げが可能な包装材から作られる外側包装材によって保持される。
【０００３】
この種の包装容器を開くこと、すなわち、包装内容物を利用するには改善が必要である。このことは、煙草用包装容器が末端の消費者によって開かれるのではなく、小売り業者が容器から個々の煙草パケットを取り出したいとき、または、容器の内容物全部が自動販売機への挿入対象であるときは、とりわけ真実である。
【０００４】
【発明が解決しようとする課題】
この発明の底流をなす目的は、したがって、使用された場合には、包装容器の利用をもっと容易にする開函補助手段を備える初めに言及したタイプのパッケージを提供することである。この発明の底流をなす目的は、これに加えて、パッケージに開函補助手段を機械的に取り付けるために適切な装置を提案することである。
【０００５】
【課題を解決するための手段】
この目的が達成される場合は、パッケージは、脆弱化線、特に少なくとも外側包装材の１つの壁部の区域に設けられた穿孔列によって特徴付けられる。
【０００６】
最初に述べた個々の煙草パケットの配列構造を備える煙草用容器には、隣り合う煙草パケット列と煙草パケット列の間の分離面の区域に脆弱化線または穿孔列が設けられている。互いに向き合って接する２列の煙草パケットを備える包装容器には、この発明の穿孔列が外側包装材の長い側部壁の区域、その長手方向ほぼ中心に延出する。
【０００７】
この脆弱化線または穿孔列によって、パッケージ内の内容物のすべてを極めて容易に、かつ素早く取り出すことができる。穿孔列は、単純な手動操作を介在させることによって、その全長に亘って破断することができる。こうして、パッケージの煙草の内容物の全部すなわち（１０個の）煙草パケットが取り出せるように露出する。これらの内容物は、外側包装材をこれ以上破壊しなくとも取り出すことができる。
【０００８】
この発明の装置は、外側包装材用のブランクが、折り曲げ工程以前、特にブランクを製造する連続材料ウエブの区域において、前記脆弱化線または穿孔列を正確な位置に備えるようにセットされる。この目的のために、この装置は、材料ウエブの長手方向延出部を横断して前後に移動することが可能で、この穿孔列が、後に行われる外側の包装時に、外側包装材の側部壁にのみ備わるように、材料ウエブの中心の一部区域に亘って穿孔列を付与する穿孔部材を備える。穿孔部材は周辺部に沿う穿孔ブレードを有する穿孔ディスクである。穿孔列を付与する間、ブランクまたは材料ウエブは、ベース上に静止する。
【０００９】
発明のさらなる細部は、パッケージおよび装置の例示を介する具体例の援用によって以下により完全に説明する。
【００１０】
【発明の実施の形態】
例示され、図面に示されるパッケージの製造に関連して使用されるパッケージおよび装置の好ましい具体例は、煙草パケット１０のグループのための包装容器に関する。このタイプの包装容器は、実際上は、煙草カートンとも称される。今の場合は１０個である複数個の煙草パケット１０は、規則性のあるグループに形成され１枚の外側包装材１１によって包囲される。この外側包装材１１は、（積層された）紙で有利に構成されるが、他の適当な包装材から製造することもできる。
【００１１】
外側包装材に基づいて生じるパッケージユニットは、ここでは、細長い立体状の構造体である。この幾何学的な形状は、パケットの２つの列１２、１３をなす煙草パケット１０の配置によって発生する。パケットの２つの列１２、１３の各列は、同数の煙草パケット１０、この場合は５個の煙草パケット１０からなる。２つのパケット列１２、１３の煙草パケット１０は、それらの大きい面同士、すなわちそれらの前面と後面とを互いに接している。パッケージユニットの長手方向中心面の区域においては、連続する切断面１４が２つのパケット列１２、１３の間に発生する。
【００１２】
煙草パケット１０のグループは外側包装材１１によってすっかり包囲される。外側包装材１１は、したがって、前部壁１５と、細長い両側壁１７、１８を備え、これらの間に設けられた前部壁とは反対側の後部壁１６と、同様に互いに向き合う両端部壁１９、２０とからなる。前部壁１５と隣接側部壁１８は、エッジストリップ２１によって互いに接続される。このエッジストリップは、接着によって前部壁１５の内側と接続される。
【００１３】
端部壁は、複数枚の折り曲げフラップ、すなわち、台形状の内側フラップ２２と、同様に台形状の両側部フラップ２３、２４および上部フラップ２５とからなる。上部フラップ２５は長方形であり、外側フラップとして端部壁１９、２０をすっかり包囲する。この目的で、上部フラップ２５は、打ち抜き線２６によって隣接側部フラップ２３から切り離される。
【００１４】
現包装容器の格別な特徴は、パッケージ壁部の１区域に、この場合は、細長い側部壁１７の区域に、開函補助手段が取り付けられる事実にある。この開函補助手段は、容易に破断することができる脆弱化線、ここでは外側包装材１１の穿孔列２７である。穿孔列２７は、側部壁１７のほぼ中央の点、すなわち、（仮想）長手方向中心線に沿って延出する。この場合、穿孔列２７は、少なくとも煙草パケット１０の一部のグループの間にある切断面１４の区域にほぼ開函補助手段として走行することが重要である。このように、穿孔列２７が破断されると、すなわち、外側包装材が開かれると、すべての包装内容物つまり煙草パケット１０を直接取り出すことができる状態となる。穿孔列２７を（手動操作で）開くか、破断する過程は、穿孔列２７がこの位置にあるので容易になる。穿孔列は、現具体例の場合、実際には側部壁１７の長手方向全体に亘って延出し、パッケージの直立エッジ部２８から僅かな距離のところで終わっている。穿孔列２７は、包装容器を製造する過程で機械的に付与される。現具体例の場合、穿孔列２７は、外側包装材１１用のブランクを製造の対象とする材料ウエブ２９にすでに付与済みである。
【００１５】
この目的で、材料ウエブ２９が（図示しない）リールから引き出され穿孔ユニット３０を通過して案内される（図３参照）。その後、穿孔列２７を備えるブランクが、切断ユニット３１によって材料ウエブ２９から切断される。ブランクは次に、さらに包装機内で従来の態様で処理されて外側包装材１１を形成する。
【００１６】
穿孔ユニット３０の前方に、材料ウエブ２９用の固定転向ローラーと可動転向ローラー（いずれも符号３３で示す）とを有する、原理的に知られた振り子が設けられる。この振り子３２は、その相対位置によって、臨界的なウエブ張力を越えた張力が作用するか、張力が臨界的なウエブ張力に達しない場合に、前記穿孔ユニットが消勢されるまで材料ウエブの張力または張力の変動を補償する。
【００１７】
材料ウエブ２９は、穿孔ユニット３０の区域において固定案内ローラー３４を経て水平面に転向される。同様な固定カウンターローラー３５が、この案内ローラー３４と協働する。この材料ウエブは、案内ローラー３４とカウンターローラー３５の間を移送されてウエブの水平セクション３６（図５参照）を形成する。
【００１８】
ウエブセクション３６の区域において、横断方向の幅のほぼ真ん中の区域に、穿孔列２７の幅と位置が一致するように、材料ウエブ２９の長手方向延在部を横断して穿孔列が付与される。穿孔列２７は、材料ウエブ２９を横断して前後に移動する穿孔部材によって、局面ごとに移送される材料ウエブ２９が一時的に静止する間に付与される。穿孔列２７は、穿孔部材の各移動サイクルごとに作り出される。
【００１９】
現具体例において、穿孔部材は回転運動する穿孔ディスク３７である。前記ディスクは、駆動ホイールすなわち歯車３９に接続された軸３８に取り付けられる。ディスク３７、軸３８、歯車３９およびその他の部材からなる穿孔このユニットは、穿孔列２７を作り出すために材料ウエブ２９を横断して移動される。歯車３９は、ここでは、前記歯車３９が横断移動を行う間に、穿孔ディスク３７が正確な回転を実行するように、固定された横断方向ラック４０の下を走行する。その大きさは、現具体例の場合、穿孔ディスク３７の径が歯車３９の径、または、回転部材の径と等しいように選択される。こうして、穿孔ディスク３７と歯車３９は、正確に等しい回転移動を実行する。
【００２０】
穿孔ディスク３７と歯車３９は、すでに述べた諸部材の移動方向に延出する固定加圧シリンダー４１によって移動することができる。この場合、これはピストンロッドを伴わない加圧シリンダー４１である（図４）。駆動部材４２（図５）は、加圧シリンダー４１のハウジング外の側部にあり、前後に移動することができるユニットと接続されている。押圧力は加圧シリンダー４１またはピストンに対しその双方向に作用する。（図示しない）ピストンが、駆動部材４２と接続する。
【００２１】
穿孔ディスク３７と歯車３９は、軸３８を介して、上方部がスライド４４として形成されたキャリヤー４３と接続する。スライド４４は、一部が加圧シリンダー４１の下側部と固着された横に長いレール４５に沿って滑動する。コネクティングピース４６が一方においては、加圧シリンダー４１の駆動部材４２と接続され、他方においては、可動ユニットすなわちキャリヤー４３またはスライド４４と接続する。駆動部材４２の前後移動は、こうして、キャリヤー４３に伝達される。回転軸３８は、キャリヤー４３内部のローラー軸受け４７内に保持される。
【００２２】
穿孔ディスク３７は、その外周部に歯状に突出する穿孔ブレード４８を備えており、これらの間には間隙部または切り込みが形成されている。それぞれの穿孔ブレード４８は、材料ウエブ２９内に穿孔列の１つの刻み目の付与を行う。
【００２３】
穿孔ディスク３７は、各移動サイクルつまり一回の回転について完全な穿孔列が作り出されるような大きさと構造を備える。この穿孔列が正確な長さを維持するように、穿孔ディスク３７の有効外周部は穿孔ブレード４８の配列に関する制限が設けられる。例示される現行具体例においては、穿孔ディスク３７の一部分が欠けている。横断方向の限界縁部４９は、穿孔列を作り出す穿孔ディスク３７の切り欠き部の両端部である。穿孔ブレード４８は、したがって、前記切り欠き部以外の円形外周部全体に沿って、つまり前記限界縁部４９の一方の端部から他方の端部までに亘って設けられる。穿孔列２７は、したがって、穿孔ディスク３７が回転するときの移動路の長さとは無関係に、穿孔ブレードを備える円形外周部の予定された長さによって正確に規定される。
【００２４】
穿孔ディスク３７の外周部の有効長は、材料ウエブ２９の穿孔列２７の長さ５０に等しい。その幅５１がこれよりも大きい点には意味がある。穿孔ディスク３７または軸３８の移動路は材料ウエブ２９の幅５１を越えて延出する（図４）。穿孔ディスク３７の関連終端位置は、ここでは、穿孔ディスク３７が瞬間的に静止する際に材料ウエブ２９が、穿孔ディスク３７の両端部位置において、これによって破損を受けずに移動できるように選択される。例示によってここに開示する具体例においては、限界縁部４９は、材料ウエブ２９から明確な間隙を隔てて材料ウエブ２９に平行するように整合する。
【００２５】
穿孔列２７が付与されている間は、材料ウエブ２９がフラットな支持部材上にまたはこれと向き合って保持される。ここでは、それは水平なストリップ状の保持プレート５３である。ウエブの一部３６は、この保持プレートと向き合ってその下部と接する。穿孔ディスク３７または穿孔ブレード４８の有効区域においては、保持プレート５３が、その長手方向に延出する狭い溝５４を備える。
【００２６】
穿孔ユニット３０の区域において穿孔列２７を付与された材料ウエブ２９は、カウンターローラー３５を過ぎた後、調節ローラー５５を巡って案内される。調節ローラー５５は、横方向軸内で、例えば細長い孔内を移動できるように設けられる（図３）。調節ローラー５５の相対位置は、製造対象である外側包装材用のブランクの長さが包装容器のサイズに応じて変動しても、これに適合するように設定される。
【００２７】
調節ローラー５５を過ぎると、材料ウエブ２９は、複数個のさらに別のローラーを巡って案内される。これらのローラーは一組のブレーキローラー５６、５７を含む。これらのブレーキローラーは、片側で作用するフリーホイールを備えているので、１方向にのみ回転することができる。これらのブレーキローラー５６、５７は、外側包装材１１用のブランクが材料ウエブから切断されたとき、材料ウエブ２９が逆走しないようにする。
【００２８】
材料ウエブ２９は、ブレーキローラー５７によって下方に転向されて、直立したウエブ部分５８を形成する。この区域には、切断ユニット３１が設けられる。それは、横断方向に可動である切断ブレード５９と固定カウンターブレ−ド６０とからなる。可動切断ブレードは、切断を行うために切断ブレード５９の前後の横断移動を起こさせる付勢機構６１と接続する。
【００２９】
予備ローラー６２、６３が切断ユニット３１またはブレード５９、６０の前方に設けられる。これらのローラーは材料ウエブ２９を、外側包装材１１用のブランクの長さと厳密に等しくなるように前方に引き出す。予備ローラー６２、６３は、材料ウエブ２９上の印刷マークを援用して機能する（図示しない）印刷マーク読み取り機によって制御することができる。
【００３０】
穿孔ニュニット３０と切断ユニット３１は、穿孔列２７に対する別のブランクの縁部からの距離を含む外側包装材１１のブランクの長さ、もし必要な場合は複数の長さに等しい正確な間隔を置いて固定して設けられる。問題になるのは、外側包装材１１のための切断が、完成時のパッケージの区域におけるすでに説明した位置に穿孔列が配置されるように、穿孔列から正確な距離のところで実行されることである。
【００３１】
【発明の効果】
この発明によって、使用された場合には、包装容器の利用をもっと容易にする開函補助手段を備えるパッケージを提供することができるとともに、パッケージに開函補助手段を機械的に取り付けるために適切な装置が提供される。
【図面の簡単な説明】
【図１】煙草用包装容器の斜視図。
【図２】図１の包装容器の外側包装材用ブランクの展開図。
【図３】材料ウエブの区域に穿孔列を付与する装置の概略側面図。
【図４】図３の装置すなわち穿孔列付与アセンブリーの細部の横断方向断面図。
【図５】図３の装置の細部の一層の拡大図。
【図６】図５の細部ＶＩの一層の拡大図。
【符号の説明】
１０…パケット，１１…外側包装材，１２，１３…パケット列，１４…切り離し面，１７…長い側壁，２７…穿孔列，２９…材料ウエブ，３７…穿孔ディスク，３９…歯車，４０…固定ラック，４８…穿孔ブレード，４９…限界縁部。
【図１】
0003790031.tif 000002
【図２】
0003790031.tif 000003
【図３】
0003790031.tif 000004
【図４】
0003790031.tif 000005
【図５】
0003790031.tif 000006
【図６】
0003790031.tif 000007